(57)【特許請求の範囲】
【請求項１】
原稿台の下方から原稿台に向けて集光された２本のビームを照射し、更にその２本のビームを曲線状に走査し、照射したビームの原稿からの反射光を検出することにより原稿の位置やサイズを検知する原稿検知装置であって、計測開始のための基準板による反射光の検出から原稿による反射光の検出までの相対的な受光タイミング差を２本のビームの各々について計測し、データ化し、その２本のビームに対する各々の計測データを解析することにより原稿の位置やサイズを検知する原稿検知装置において、
前記基準板から原稿までの受光タイミング差が、或る原稿サイズ以上のデータの場合には、強制的に最大原稿サイズとして処理をするように構成したことを特徴とする原稿検知装置。
【請求項２】
原稿台の下方から原稿台に向けて集光された２本のビームを照射し、更にその２本のビームを曲線状に走査し、照射したビームの原稿からの反射光を検出することにより原稿の位置やサイズを検知する原稿検知装置であって、計測開始のための基準板による反射光の検出から原稿による反射光の検出までの相対的な受光タイミング差を２本のビームの各々について計測し、データ化し、その２本のビームに対する各々の計測データを解析することにより原稿の位置やサイズを検知する原稿検知装置において、
前記受光タイミング差が明確に判断できず、前記基準板からの受光信号が所定時間以上継続された場合には、計測データを強制的に或る固定データに置き換えるように構成したことを特徴とする原稿検知装置。
【請求項３】
請求項２記載の原稿検知装置において、原稿台の全面に原稿が置かれた場合は、基準板と原稿が連続した受光信号となり、受光タイミング差が無くなり、強制的に或る固定データになるため、この場合には原稿台の全面に原稿が置かれていると判断して、最大原稿サイズとして処理をする構成としたことを特徴とする原稿検知装置。
【発明の詳細な説明】
【０００１】
【発明の属する技術分野】
本発明は、複写機やファクシミリ等の画像形成装置の原稿読取部や画像読取装置等に装備され、原稿台上に置かれた原稿のサイズを検出し判断する原稿検知装置に関する。
【０００２】
【従来の技術】
複写機等の画像形成装置において原稿検知装置を備えたものでは、原稿台のコンタクトガラス（あるいはプラテンガラス）上に置かれた原稿のサイズを原稿検知装置で検知し、その検知された原稿サイズに応じた用紙を選択して給紙部から画像形成部に給紙し複写処理等を行っているが、この際の原稿検知装置に関する技術として、従来は複写機等の画像形成装置の原稿台に置かれた原稿サイズを検知する手段として、原稿台面で原稿サイズ差が得られる位置に発光部と受光部からなるセンサーを複数配置し、原稿押さえ手段（圧板等）の開閉信号をもとに、複数のセンサーで得られた検知結果の組み合わせ状態で原稿サイズを決定していた。しかし、原稿には、Ａ，Ｂ系、インチ系、その他、各国で決められたサイズが多種存在しているため、仕向地（仕様別）によりセンサーの配置を設定していた。しかし必ずしも最適な位置にセンサーを配置できるとは限らず、また多種の原稿サイズに対応するため、複数のセンサーを各種原稿サイズに対応する位置に配置しなければならず、センサーの数が多くなりコスト高になってしまうという欠点があった。そこで考えだされたのが、原稿台の下方から原稿台に向けてビームを照射し、更にそのビームを走査することにより原稿サイズや位置を検出する手段であり、このビーム走査方式の原稿検知装置に関する技術としては以下のものがある。
【０００３】
例えば本出願人によるものとして、特開平２−３０８２３６号公報には、載置した原稿をプラテンガラス上に固定する原稿押え手段と、前記原稿押え手段の開閉状態を検知する検知手段と、前記検知手段からの検知信号に基づき前記原稿の所定領域に対し連続して光を照射する光走査手段と、前記光走査手段の位置を変える変位手段と、前記光走査手段の駆動時間を検出する検出手段と、前記光走査手段からの第１走査光と、前記変位手段による変更後の位置における前記光走査手段からの第２走査光に基づく情報を入力し、前記検出手段により検出された駆動時間と比較することにより、前記プラテンガラス上における原稿のサイズ及び原稿の載置状態を検知する制御手段とを有する原稿サイズ・位置検知装置が開示されている。この原稿サイズ・位置検知装置では、原稿台（プラテンガラス）を第１、第２の走査光で走査して原稿からの受光信号を検知し、第一の走査光の軌跡と第二の走査光の軌跡の計測データより得られる位置情報と予め決められた設定情報とを比較して原稿のサイズや位置を判断している。
【０００４】
特開平７−２９５１１６号公報には、原稿台上の原稿を押さえ付ける原稿押さえ板と、該原稿押さえ板の開閉状態を検知する開閉状態検知手段と、前記原稿台に置かれた原稿サイズの判別が可能位置を検知するように、前記原稿台の下部に配置された前記原稿台と平行若しくは略平行に回転する駆動手段と、該駆動手段の回転角を検知する手段の回転部に設けられた発光部と受光部とからなる原稿を検知する原稿検知手段と、該原稿検知手段の原稿検知を行うように、該原稿検知手段からの光を原稿面に導くとともに、原稿からの反射光を該原稿検知手段へ導く反射手段と、前記原稿台を支える部材に設けられた濃度基準板と、前記原稿検知手段からの出力信号を比較判定する制御手段と、該制御手段で処理した制御内容を出力表示する表示手段とを有する複写装置が開示されている。この複写装置では、原稿押さえ板の開閉状態を開閉状態検知手段で検知し、この開閉状態検知手段により原稿押さえ板の開閉状態信号を検知するように構成しているため、原稿検知手段を確実に走査させることができるので、誤動作のない検知情報を得ることができ、原稿の誤検知を生じ難くすることができる。しかも、原稿検知手段からの光を原稿面に導くとともに、原稿からの反射光を原稿検知手段へ導く角度を有する反射手段と、発光部及び受光部からなる原稿検知手段により原稿検知を行うように構成するため、原稿台上に置かれた原稿サイズ及び原稿位置を誤検知を生じることなく正確に検知することができ、安定した複写操作の自動化を図ることができる。また、この複写装置では、原稿台を支える部材に濃度基準板を設けており、この濃度基準板の反射出力と、原稿検知手段からの出力信号とを制御手段で比較して、原稿検知手段の感度補正等を行っており、この濃度基準板は露光移動以外の場所に設置されている。
【０００５】
特開平９−１６３０８３号公報には、一走査毎に出力された走査周期信号を基準として走査周期を認識し、この一走査期間内の最初又は最後に受光手段に入力される信号の急激な立ち上がり又は立ち下がりを、原稿エッジ規定手段により原稿のエッジからの受光信号として規定するようにした原稿エッジ検出装置が開示されている。また、この原稿エッジ検出装置では、原稿押えの汚れの影響を無くすために、原稿押えの汚れのピッチより大きなビーム径に定めた発光ダイオードのビームで原稿面上を走査しており、さらに、原稿のエッジを認識する受光光量の閾値を原稿の反射率の変化に応じて更新している。さらに、発光ダイオードと単レンズとの安価な組合せで原稿上を走査する構成とし、発光ダイオードから拡散する光を集束素子で効率よく取り入れて走査している。また、受光手段として全走査領域の反射光を受光する広角系の受光手段を用いており、この受光手段は、その中心を対称とする位置に配列された少なくとも４つの受光領域を有し、入射光を一点に集光するレンズと円筒レンズあるいはエッジを設けている。
【０００６】
また本出願人は、走査光の走査の開始を示す基準信号を発生し、走査開始後の走査光の位置を計測し、原稿からの反射光を最初に受光した時点の計測データ及び最後に受光した時点の計測データを原稿の両端データとする原稿検知装置を提案しており、さらにこの原稿検知装置では、原稿検知動作は原稿押え手段が開いているときは繰り返し行われ、結果はその都度更新されるようにしている。
さらにまた本出願人は、走査光の走査開始及び走査光の所定間隔ごとの位置を示す基準信号を発生させ、走査光の位置を該基準信号のパルスカウント値と、該パルス間を補間するクロック信号カウント値で計測する原稿検知装置を提案している。
【０００７】
【発明が解決しようとする課題】
原稿台の下方から原稿台に向けてビームを照射し更にそのビームを走査することにより原稿サイズや位置を検出する方式で、特に原稿検知センサーで２本のビーム（走査光）を走査して原稿からの反射光を検出し、その２本のビームの走査軌跡（走査軌跡１、走査軌跡２）の計測データから原稿検知を行う方式では、走査軌跡１，２の計測データから、２本のビームを横切る原稿に対しては位置やサイズを判断できるため、任意の原稿サイズを検出することができる。
【０００８】
ここで図６は２本のビームを走査して原稿検知を行う方式の原稿検知センサーの一例を示す図であり、図６（ａ）に示すように、発光ダイオード（ＬＥＤ）等からなる光源６からの光は集光レンズ７により集光され、その集光ビームは反射ミラー（部分反射ミラーあるいはハーフミラー）８により反射されて回転ミラー１０の方向へ進む。この回転ミラー１０はモータ９により回転されてビームを走査するが、図６（ｂ）に示すように、回転ミラー１０には角度の違う２枚のミラー１０ａ，１０ｂが取り付けられているため、回転ミラーが半回転毎に違った角度でビームが照射されることになり２本のビームが交互に走査される。図７は２本のビームによる走査軌跡の一例を示す図である。回転ミラー１０により走査され、原稿面や圧板等に反射されて戻ってくる光は、シリンドリカルレンズ１２により非点収差が発生し、ビームが当たる遠近によって受光素子１１上のスポット形状が変化し、この変化を区別することにより原稿面からの反射光なのか、圧板からの反射光なのかを区別する。
【０００９】
原稿面からの反射光のみを検出した信号（これをＲＣＶ信号と言う）は、計測開始のための基準板１５からの反射光と原稿からの反射光が一連の信号として現われるので、これらの反射光の相対的な受光タイミング差を計測することにより原稿の位置やサイズを検出することができる。計測する手段としては、モータ９により２本のビームを走査するにあたり、エンコーダ１４により走査開始及び走査開始後の走査ビームの位置を所定間隔毎に示す信号（これをＳＴ信号と言う）を発生させ、このＳＴ信号の所定間隔の間をこれよりも短い一定周期のクロックでカウントするクロック信号とで計測を行う。その計測結果は、マイクロコントローラ等に取り込まれ位置やサイズが判定される。
【００１０】
以上のように、図６に示すような走査型の原稿検知センサーを用いた場合、原稿サイズの判定は、上記２本の走査ビーム（走査軌跡１，２）から得られた２種類のＲＣＶ信号とＳＴ信号を基に原稿までの計測データを生成する手段で信号処理された結果をマイクロコントローラ等で判断して行っている。すなわち、これらの計測データを予め決められた原稿サイズに対応するデータと比較してサイズの判定を行う。
しかし、Ｂ４サイズ以上のような大きな原稿の場合には、図７に示すように、基準板１５から原稿までの距離が短いため、計測データが小さな値を示し、２本のビームからのデータ差も小さくなってしまい、これによりサイズ判定に誤りを発生させる場合が生じてしまう。
【００１１】
また、図６に示す原稿検知センサーを用いる原稿検知装置では、計測開始のための基準板１５からの反射光と、原稿からの反射光の相対的な受光タイミング差を２本のビームの各々について計測してデータ化し、その２本のビームに対する各々のデータを解析することにより原稿の位置やサイズを検知するため、必ず基準板１５と原稿が離れている必要がある（このため、基準板１５は原稿台３の原稿基準とは反対側に設置されている）。
しかし、基準板１５の取付け位置は、図７に示すように、原稿台（コンタクトガラス）３と原稿台フレームの境目に配置しているため、原稿台の全面に原稿が置かれた場合、基準板と原稿の境目が無くなり、計測できない場合が発生する。
【００１２】
本発明は上記事情に鑑みなされたものであって、その第一の目的は、上記のような走査型の原稿検知センサーを用いた原稿検知装置において、原稿サイズの誤検知を防止し、安定した計測結果から最大原稿サイズを決定することである。
また、本発明の第二の目的は、走査型の原稿検知センサーを用いた原稿検知装置において、原稿台の全面に原稿が置かれた場合に生じる計測不能状態を回避することであり、さらに第三の目的は、原稿台の全面に原稿が置かれた場合にも適切なサイズ判定を行うことである。
【００１３】
【課題を解決するための手段】
上記第一の目的を達成するため、請求項１に係る発明は、原稿台の下方から原稿台に向けて集光された２本のビームを照射し、更にその２本のビームを曲線状に走査し、照射したビームの原稿からの反射光を検出することにより原稿の位置やサイズを検知する原稿検知装置であって、計測開始のための基準板による反射光の検出から原稿による反射光の検出までの相対的な受光タイミング差を２本のビームの各々について計測し、データ化し、その２本のビームに対する各々の計測データを解析することにより原稿の位置やサイズを検知する原稿検知装置において、前記基準板から原稿までの受光タイミング差が、或る原稿サイズ以上のデータの場合には、強制的に最大原稿サイズとして処理をするように構成したものである。
【００１４】
上記第二の目的を達成するため、請求項２に係る発明は、原稿台の下方から原稿台に向けて集光された２本のビームを照射し、更にその２本のビームを曲線状に走査し、照射したビームの原稿からの反射光を検出することにより原稿の位置やサイズを検知する原稿検知装置であって、計測開始のための基準板による反射光の検出から原稿による反射光の検出までの相対的な受光タイミング差を２本のビームの各々について計測し、データ化し、その２本のビームに対する各々の計測データを解析することにより原稿の位置やサイズを検知する原稿検知装置において、前記受光タイミング差が明確に判断できず、前記基準板からの受光信号が所定時間以上継続された場合には、計測データを強制的に或る固定データに置き換えるように構成したものである。
【００１５】
また、上記第三の目的を達成するため、請求項３に係る発明は、請求項２記載の原稿検知装置において、原稿台の全面に原稿が置かれた場合は、基準板と原稿が連続した受光信号となり、受光タイミング差が無くなり、強制的に或る固定データになるため、この場合には原稿台の全面に原稿が置かれていると判断して、最大原稿サイズとして処理をする構成としたものである。
【００１６】
【発明の実施の形態】
以下、本発明の実施の形態を図面を参照して詳細に説明する。
図１は本発明に係る原稿検知装置を装備した画像形成装置（例えば複写機）の原稿検知部及び制御系の一例を示す図である。尚、図１において原稿検知装置のセンサー部の構成は、図６に示した原稿検知センサー４と同様である。また、原稿検知センサー４により走査される２本のビームの走査軌跡と基準板の取り付け位置も図７と同様である。
【００１７】
図１において、原稿検知センサー４は画像形成装置の原稿読取部１の原稿台（コンタクトガラス）３の下方に配置されている。この原稿検知センサー４は、走査用のビームを出射する光源（例えば発光ダイオード（ＬＥＤ））６と、該光源６からの出射光を集光する集光レンズ７と、その集光されたビームを回転ミラー１０に向けて反射するミラー（部分反射ミラーあるいはハーフミラー）８と、ビームの走査手段である回転ミラー１０と該回転ミラーを回転する回転ミラー駆動用モータ７と、回転ミラー１０の回転速度及び回転位置（角度）を検出しビームの走査位置を検出するためのエンコーダ１４（エンコーダディスク１４ａとエンコーダ検出センサー１４ｂ）と、原稿２からの反射光を集光するシリンドリカルレンズ１２と、その集光された反射光を受光する受光素子１３とを備えており、これらの構成部材はケース５内に収納されている。尚、ケース５には保護ガラス１１で覆われたビーム出射窓が設けられている。また、図６（ｂ）と同様に、上記回転ミラー１０には回転軸に対する角度が異なる２枚のミラー１０ａ，１０ｂが取り付けられており、回転ミラー１０が半回転毎に違った角度でビームが照射されることになり、これにより２本のビーム（ビーム１、ビーム２）が交互に原稿台に向けて照射され、それぞれ曲線状に走査される。図７はその２本のビームによる原稿台（コンタクトガラス）３上の走査軌跡の一例を示したものであり、この２本の走査軌跡１，２は、原稿台３の一端側に設けられた基準板１５から走査が開始される。
【００１８】
図１に示すように、画像形成装置の制御部２２は、駆動回路２０，２１を介して原稿検知センサー４の光源６の発光や走査手段のモータ９の駆動を制御し、原稿検知センサー４の受光素子１３の出力信号と、エンコーダ１４のエンコーダ検出センサー１４ｂの出力信号は、信号処理部１６の検出回路１７，１８で検出され、その検出信号は信号処理回路１９に送られて計測データが生成され、その計測データが制御部２２に入力される。また、図示していないが、原稿台３の上部には、原稿台上に原稿を押さえつける原稿押さえ手段、例えば圧板が開閉自在に設けられており、この圧板の開閉支点部には、その圧板の開閉状態や開閉角度を検知する開閉検知センサー３２が設けられており、この開閉検知センサー３２の出力信号は制御部２２に入力され、開閉検知センサー３２の出力信号により圧板の開放が検知されると、画像形成装置の制御部２２は原稿検知センサー４を作動し、原稿サイズの検知及び判定処理を実行するようになっている。
【００１９】
制御部２２は、演算処理装置（ＣＰＵ）やクロック、カウンター、制御回路等からなるマイクロコントローラ２３と、制御用プログラムや制御用データテーブルを記憶した読み出し専用メモリのＲＯＭ２４と、上記計測データやその他の各種入力データを記憶する書換え型メモリのＲＡＭ２５と、入力インターフェース２６、出力インターフェース２７等から構成され、上記原稿検知センサー４から入力された計測データを基にマイクロコントローラ２３で原稿サイズや位置の判定を行うと共に、画像形成装置の各部（原稿読取部１、画像形成部２９、給紙部３０、操作・表示部３１等）を制御して一連の画像形成動作（原稿サイズ検知、用紙選択、原稿画像の読み取り、画像形成（帯電、光書き込み、現像）、給紙、転写、定着、排紙等）を制御する。また、制御部２２には、上記原稿検知センサー４からの計測データや、開閉検知センサー３２からの圧板開閉情報の他、画像形成装置の各部に設けられた各種センサーからの信号や、操作部からの入力情報が入力される。
【００２０】
さて、図１に示す構成では、制御部２２は原稿検知センサー４を作動し、原稿台（コンタクトガラス）３の下方から原稿台に向けて集光された２本のビームを照射し、更にそのビームを曲線状に走査し、原稿２からの反射光を受光素子１３で受光して原稿２のサイズを検出する方式であるため、２本のビームを横切る原稿に対しては位置や任意のサイズを検出することができる。
【００２１】
より具体的に説明すると、原稿検知センサー４のＬＥＤ光源６からの光は集光レンズ７で集光され、反射ミラー８を介して回転ミラー１０の方向へ進み、回転ミラー１０で偏向走査されるが、回転ミラー１０には角度の違う２枚のミラー１０ａ，１０ｂが取り付けられているため、回転ミラー１０が半回転毎に違った角度でビームが原稿台３に向けて照射されることになり、２本のビームが交互に走査される。原稿面や圧板等に反射されて戻ってくる光は回転ミラー１０により反射され、反射ミラー８を透過してシリンドリカルレンズ１２に入射する。そしてシリンドリカルレンズ１２により非点収差が発生し、ビームが当たる遠近によって受光素子１３上のスポット形状が変化し、受光素子１３の出力が変化する。従って、この受光素子１３の出力の変化を信号処理部１６の検出回路１７で検出して信号処理回路１９で区別することにより原稿面からの反射光なのか、圧板からの反射光なのかが区別される（通常は、圧板の開放時に原稿検知が行われるため、原稿面からの反射光による信号を容易に検出できる）。原稿面からの反射光のみを検出した信号（ＲＣＶ信号）は、計測開始のための基準板１５からの反射光と原稿からの反射光が一連の信号として現われるので、これらの反射光の相対的な受光タイミング差を計測することにより原稿の位置やサイズを検出することができる。また、計測する手段としては、モータ９により回転ミラー１０を回転してビームを走査するにあたり、エンコーダディスク１４ａとエンコーダ検出センサー１４ｂからなるエンコーダ１４により回転ミラー１０の走査角度を検出し、走査開始及び走査開始後の走査ビームの位置を示す信号（ＳＴ信号）を発生させ、このＳＴ信号を一定周期のクロック信号を用いてカウントすることにより計測を行うことができる。
【００２２】
ここで、原稿検知センサーによる２本のビームの走査位置は図７中の走査軌跡１（ビーム１）と走査軌跡２（ビーム２）として表わされる。各ビームの走査基準となる基準板１５は、図７に示すように原稿台（コンタクトガラス）３と原稿フレームの境目に配置している。この境目に外からの特定な光が入ってくると、受光信号が乱れる可能性があるため、基準板１５を通過した時点を計測の開始点とすることはできない。そこで、絶えず走査されているビームが、或る幅を持った基準板の境目に到達する前に計測開始（走査開始）のＳＴ信号を発生させ、この時の基準板の受光信号（ＲＣＶ信号）を確認し、この時点を計測の開始としている。すなわち、各ビームとも基準板１５の位置からＳＴ信号が発生されると同時に、ビームの計測が始まる。そして各ビームは基準板１５から原稿位置に向かって走査が行われる。受光素子１３の受光信号は、ビーム１とビーム２が一連の一つの信号として出力される。図２はその出力タイミングの一例を示す図である。図２に示すように、ＲＣＶ信号は、基準板１５の位置から発生されるＳＴ信号の開始と共に出力され、基準板位置と原稿面の位置で出力される。よって原稿の位置、サイズによって、ＲＣＶ信号の発生時間が異なり、ビーム１とビーム２の基準板によるＲＣＶ信号と原稿によるＲＣＶ信号の受光タイミング差Ｔ１，Ｔ２を信号処理部１６で計測して、その計測データを制御部２２のマイクロコントローラ２３に取り込んで判定することにより、原稿の位置やサイズが決定される。
【００２３】
ところで原稿の検出サイズは、複写機毎に決められており、最大検出サイズが決められている。図７や図２からも明らかなように、２本のビームは原稿台３の原稿基準とは反対側に位置する基準板１５から走査されるため、大きな原稿サイズほどその原稿端は基準板１５に近い位置となり、走査軌跡１，２の計測データ（基準板から原稿端までの計測値Ｔ１，Ｔ２）が小さくなることが判る。また基準板１５から原稿端までの距離は、走査軌跡１の方が走査軌跡２より大きい（基準板からの角度が走査軌跡１の方が大きいため）が、大きな原稿サイズほど、走査軌跡１と走査軌跡２のデータの差が小さくなる。このため、原稿サイズが大きいほどサイズ判定に誤りを発生させる場合がある。そこで請求項１の発明では、基準板１５から原稿までの受光タイミング差が、或る原稿サイズ以上のデータの場合に、強制的に最大原稿サイズとして処理をするように構成している。
【００２４】
請求項１の実施例としては、最大原稿の一つ手前の原稿サイズに注目し、このサイズのデータより或る一定のデータになったら全て最大原稿サイズと決定する処理を行う。一例として走査軌跡１のデータのみでサイズ検知をする場合を述べるが、最大原稿サイズをＡ３として走査軌跡１のデータを５００とし、一つ手前の原稿サイズをＢ４として走査軌跡１のデータを１３００とすると、図３のフローチャートに示すような処理になる。すなわち、制御部２２のマイクロコントローラ２３により原稿検知動作が開始されると、まず信号処理部１６から走査軌跡１と走査軌跡２の計測データが読み込まれ（Ｓ１）、走査軌跡１の計測データが１３００以下かどうかが判定され（Ｓ２）、計測データが１３００より大きければ走査軌跡１と走査軌跡２の計測データにより通常の原稿サイズ判定処理が行われる（Ｓ３）。また、走査軌跡１の計測データが１３００以下であれば、次にαを或る固定値として、走査軌跡１の計測データが（１３００−α）以下かどうかが判定され（Ｓ４）、計測データが（１３００−α）より大きければＢ４サイズと決定し（Ｓ５）、（１３００−α）以下であればＡ３サイズと決定する。これにより安定した計測結果から最大原稿サイズを決定することが可能となり、サイズの誤検知を防止することができる。
【００２５】
次に、原稿台３の全面に原稿２が置かれた場合に、基準板１５の取り付け位置は図７に示す通り、原稿台（コンタクトガラス）３と原稿台フレームの境目に配置しているため、基準板１５と原稿の境目が無くなり、原稿端の計測ができなくなる場合が発生する。図４は原稿台の全面に原稿が置かれた場合のＲＣＶ信号とＳＴ信号の出力タイミングの一例を示している。図４に示すように基準板によるＲＣＶ信号と原稿によるＲＣＶ信号が連続している場合、計測データは、基準板が延々に続き原稿端の検知ができない状態になるため、データは不的確になってしまい、原稿サイズの計測ができなくなる。そこで請求項２の発明では、受光タイミング差が明確に判断できず、前記基準板からの受光信号が所定時間以上継続された場合には、計測データを強制的に或る固定データに置き換えるように構成している。
【００２６】
請求項２の実施例としては、基準板１５の大きさは予め決められているため、基準板を通過する時間（距離）は予測ができるため、図４のようにＳＴ信号を検知してから一定時間（距離）ＲＣＶ信号が途切れない場合は、信号処理部１６で２ビームの各計測データを共に強制的に或る同じ固定データに変更してしまう処理を行う。尚、定型サイズの原稿が正確に原稿台に置かれた場合は、２ビームの各計測データが同じ値になることは無いため、同じデータにしているが、これは処理の簡略化のためである。
【００２７】
以上のように、原稿台の全面に原稿が置かれた場合は、計測データが或る固定データに置き換えられるが、請求項３の発明では、このような場合には、原稿台の全面に原稿が置かれていると判断して、最大原稿サイズとして処理をする構成とした。
【００２８】
請求項３の実施例として、制御部２２のマイクロコントローラ２３は、２ビームによる走査軌跡１，２の各計測データが同じかどうか判断して、同じ固定データの場合は最大原稿と判断するような処理を行う。図５にその処理動作の一例を示す。すなわち図５に示すように、制御部２２のマイクロコントローラ２３により原稿検知動作が開始されると、まず信号処理部１６から走査軌跡１と走査軌跡２の計測データが読み込まれ（Ｔ１）、走査軌跡１と走査軌跡２の計測データが同じどうかを判定する（Ｔ２）。そして同じでなければ、走査軌跡１と走査軌跡２の計測データを基に通常の各原稿サイズの決定処理を行う（Ｔ３）。また、走査軌跡１と走査軌跡２の計測データが同じでなければ、最大原稿サイズ（例えばＡ３サイズ）と決定する（Ｔ４）。以上の処理により、原稿台全面に原稿が置かれた場合にも適切なサイズ判定を行うことができる。
【００２９】
尚、上記の或る固定データに設定する別の方法としては、正常な動作時に得られる計測データの範囲外に設定することでも、マイクロコントローラは容易に判断することができるため、原稿台の全面に原稿が置かれた場合は、走査軌跡１と走査軌跡２の計測データを個別の或るデータに設定するようにしても同様の効果が得られる。
【００３０】
【発明の効果】
以上説明したように、請求項１に記載の原稿検知装置においては、基準板から原稿までの受光タイミング差が、或る原稿サイズ以上のデータの場合に、強制的に最大原稿サイズとして処理をするように構成したので、安定した計測結果から最大原稿サイズを決定することができ、原稿サイズの誤検知を防止することができ、ミスコピーの軽減が図られ、複写機等の操作性の向上が図れる。
【００３１】
請求項２に記載の原稿検知装置においては、受光タイミング差が明確に判断できず、前記基準板からの受光信号が所定時間以上継続された場合には、計測データを強制的に或る固定データに置き換えるように構成したので、原稿台全面に原稿が置かれた場合に生じる計測不能状態を回避することができ、通常のサイズ検知状態でないことの判断材料になり、マイクロコントローラ等による判定処理に役立つ。
【００３２】
請求項３に記載の原稿検知装置においては、請求項２の構成に加え、原稿台の全面に原稿が置かれた場合は、基準板と原稿が連続した受光信号となり、受光タイミング差が無くなり、強制的に或る固定データになるため、この場合には原稿台の全面に原稿が置かれていると判断して、最大原稿サイズとして処理をする構成としたので、原稿台全面に原稿が置かれた場合にも適切なサイズ判定を行うことができ、最大原稿サイズの判定が可能になり、原稿サイズの誤検知を防止することができる。
【図面の簡単な説明】
【図１】本発明に係る原稿検知装置を装備した画像形成装置の原稿検知部及び制御系の一例を示す図である。
【図２】原稿検知センサーによるＳＴ信号とＲＣＶ信号の出力タイミングの一例を示す図である。
【図３】請求項１の実施例を示す図であって、図１に示す制御部のマイクロコントローラによって実行される原稿サイズ判定処理動作の一例を示すフローチャートである。
【図４】原稿台全面に原稿が置かれた場合の原稿検知センサーによるＳＴ信号とＲＣＶ信号の出力タイミングの一例を示す図である。
【図５】請求項３の実施例を示す図であって、図１に示す制御部のマイクロコントローラによって実行される原稿サイズ判定処理動作の一例を示すフローチャートである。
【図６】走査型原稿検知センサーの一例を示す図である。
【図７】図６に示す走査型原稿検知センサーによる原稿台上のビーム走査位置の説明図である。
【符号の説明】
１：原稿読取部
２：原稿
３：原稿台（コンタクトガラス）
４：原稿検知センサー
５：ケース
６：光源
７：集光レンズ
８：反射ミラー
９：回転ミラー駆動用モータ
１０：回転ミラー
１１：保護ガラス（出射窓）
１２：シリンドリカルレンズ
１３：受光素子
１４：エンコーダ
１４ａ：エンコーダディスク
１４ｂ：エンコーダ検出センサー
１５：基準板
１６：信号処理部
１７：受光素子出力検出回路
１８：エンコーダ出力検出回路
１９：信号処理回路
２０：光源駆動回路
２１：モータ駆動回路
２２：制御部
２３：マイクロコントローラ
２４：ＲＯＭ（読み出し専用メモリ）
２５：ＲＡＭ（書換え型メモリ）
【図１】
0003583295.tif 000002
【図２】
0003583295.tif 000003
【図３】
0003583295.tif 000004
【図４】
0003583295.tif 000005
【図５】
0003583295.tif 000006
【図６】
0003583295.tif 000007
【図７】
0003583295.tif 000008